(57)【特許請求の範囲】
【請求項１】
紙幣の入金口及び出金口となる入出金口部と、
紙幣の鑑別を行う鑑別部と、
上記入出金口部に投入された紙幣のうち、上記鑑別部により正常と判別された正常紙幣を収納する紙幣収納庫と、
紙幣を搬送する搬送路と、
上記入出金口部に投入された紙幣のうち、上記鑑別部により入金に適さないと判別された入金リジェクト紙幣を一時的に貯留する、上記入出金口部とは別に設けられた一時貯留部と
を備え、
上記搬送路を上記一時貯留部として利用し、上記鑑別部により入金に適さないと判別された入金リジェクト紙幣を上記一時貯留部に一時的に貯留した後、上記入出金口部に戻して返却する
紙幣入出金機。
【請求項２】
上記紙幣収納庫は複数設けられ、
上記搬送路は、
上記複数の紙幣収納庫と上記鑑別部との間をつなぐ振分搬送路を有し、
上記振分搬送路を上記一時貯留部として利用する
請求項１に記載の紙幣入出金機。
【請求項３】
さらに上記正常紙幣を上記紙幣収納庫に収納する前に一時的に収納する一時保留部を備え、
上記鑑別部は、
紙幣の搬送先を、上記一時保留部又は上記一時貯留部に切り替える切替器を有し、
上記切替器は、
正常紙幣を上記一時保留部に搬送する一方で、入金リジェクト紙幣を上記一時貯留部に搬送するように、紙幣の搬送先を切り替える。
請求項２に記載の紙幣入出金機。
【請求項４】
上記搬送路は、
上記鑑別部を通り上記入出金口部及び上記一時保留部と接続され当該入出金口部と当該一時保留部との間を繋ぐ鑑別搬送路を有し、
上記鑑別部は、
上記鑑別搬送路の途中に配置され当該鑑別搬送路を通る紙幣を鑑別する鑑別センサを有し、
上記切替器は、
上記鑑別搬送路上の上記鑑別センサより下流に配置され、当該鑑別搬送路を通る紙幣が上記鑑別センサにより正常紙幣と判別されると、紙幣の搬送先が一時保留部となるように搬送先を切り替え、入金リジェクト紙幣と判別されると、紙幣の搬送先が一時貯留部となるように搬送先を切り替える
請求項３に記載の紙幣入出金機。
【請求項５】
上記振分搬送路は、
上記鑑別搬送路の上記一時保留部との接続箇所近傍に接続される
請求項４に記載の紙幣入出金機。
【請求項６】
上記振分搬送路を一時的に上記一時貯留部として利用することで、当該振分搬送路に入金リジェクト紙幣を一時的に貯留させた後、上記入出金口部に戻して返却する
請求項２〜５のいずれかに記載の紙幣入出金機。
【請求項７】
上記振分搬送路内に、一定の間隔を空けて複数の入金リジェクト紙幣を貯留する
請求項２〜６のいずれかに記載の紙幣入出金機。
【請求項８】
上記振分搬送路内に、互いに一部が重なるようにして複数の入金リジェクト紙幣を貯留する
請求項２〜６のいずれかに記載の紙幣入出金機。
【請求項９】
上記一時貯留部内に一時的に貯留している入金リジェクト紙幣の枚数が、上記一時貯留部内に貯留可能な最大枚数に達すると、もしくは上記入出金口部に投入された全ての紙幣の一時保留部又は一時貯留部への搬送が完了すると、上記一時貯留部に一時的に貯留している入金リジェクト紙幣を上記入出金口部に戻して返却する
請求項３〜５のいずれかに記載の紙幣入出金機。
【請求項１０】
上記鑑別搬送路には、
上記入出金口部、上記一時保留部、上記振分搬送路にくわえて、さらに紙幣収納庫に収納された紙幣を出金するときに上記鑑別部により出金に適さないと判別された出金リジェクト紙幣を収納するリジェクト庫と、入出金口部に取り残された紙幣を収納する取込庫とが接続される
請求項３〜５のいずれかに記載の紙幣入出金機。
【請求項１１】
紙幣の投入口及び返却口となる入出金口部と、紙幣の鑑別を行う鑑別部と、上記入出金口部に投入された紙幣のうち、上記鑑別部により正常と判別された正常紙幣を収納する紙幣収納庫と、紙幣を搬送する搬送路と、上記入出金口部に投入された紙幣のうち、上記鑑別部により入金に適さないと判別された入金リジェクト紙幣を一時的に貯留する、上記入出金口部とは別に設けられた一時貯留部とを有する紙幣入出金機を備え、
上記搬送路を上記一時貯留部として利用し、上記鑑別部により入金に適さないと判別された入金リジェクト紙幣を上記一時貯留部に一時的に貯留した後、上記入出金口部に戻して返却する
紙幣処理装置。
【発明の詳細な説明】
【技術分野】
【０００１】
本発明は、紙幣入出金機及び紙幣処理装置に関し、例えば、現金自動預払機に組み込まれた紙幣入出金機に適用して好適なものである。
【背景技術】
【０００２】
従来、現金自動預払機には、紙幣の入出金処理を行う紙幣入出金機が組み込まれている。紙幣入出金機は、例えば、顧客との間で紙幣の授受を行う入出金口部と、投入された紙幣の金種及び真偽を鑑別する鑑別部と、投入された紙幣を一時的に保留する一時保留部と、金種ごとに紙幣を収納する紙幣収納庫と、これらを繋ぐ搬送路などにより構成されている。
【０００３】
この種の紙幣入出金機は、入金時に利用者により入出金口部に紙幣が投入されると、投入された紙幣の計数処理を行う。この処理では、投入された紙幣を１枚ずつ鑑別部で鑑別し、鑑別の結果、正常な紙幣と判別した紙幣を、一時保留部に収納して計数する一方で、入金する紙幣として適さないと判別した紙幣（これを入金リジェクト紙幣とも呼ぶ）については、入出金口部へ戻して利用者に返却する。
【０００４】
その後、利用者により入金金額が確定されると、紙幣入出金機は、一時保留部に収納している紙幣（正常な紙幣）を鑑別部で再判別した後、金種に応じた各紙幣収納庫へ保管するようになっている。
【０００５】
ところで、従来の紙幣入出金機では、入金リジェクト紙幣を入出金口部から利用者に返却するための機構として、入出金口部の紙幣収納スペースにスライド可能な仕切板が設けられ、この仕切板を境に、紙幣収納スペースが入金用スペースと出金用スペースとに区切られるようになっている。
【０００６】
そして、この紙幣入出金機では、入金リジェクト紙幣を利用者に返却する場合、出金用スペースを広げるように仕切板をスライドさせ、この出金用スペースに入金リジェクト紙幣を戻して利用者に返却するようになっている（例えば特許文献１参照）。
【先行技術文献】
【特許文献】
【０００７】
【特許文献１】特開２００２−２６００６１号公報
【発明の概要】
【発明が解決しようとする課題】
【０００８】
ところが、上述したように入出金口部にスライド可能な仕切板を設けて、この仕切板をスライドさせるようにした場合、入出金口部の機構が複雑になってしまうという問題があった。
【０００９】
本発明は以上の点を考慮したもので、従来と比して入出金口部の機構を簡易化し得る紙幣入出金機及び紙幣処理装置を提案しようとするものである。
【課題を解決するための手段】
【００１０】
かかる課題を解決するため本発明の紙幣入出金機においては、紙幣の入金口及び出金口となる入出金口部と、紙幣の鑑別を行う鑑別部と、入出金口部に投入された紙幣のうち、鑑別部により正常と判別された正常紙幣を収納する紙幣収納庫と、紙幣を搬送する搬送路と、入出金口部に投入された紙幣のうち、鑑別部により入金に適さないと判別された入金リジェクト紙幣を一時的に貯留する、入出金口部とは別に設けられた一時貯留部とを設け、搬送路を一時貯留部として利用し、鑑別部により入金に適さないと判別された入金リジェクト紙幣を一時貯留部に一時的に貯留した後、入出金口部に戻して返却するようにした。
【００１１】
また本発明の紙幣処理装置においては、紙幣の投入口及び返却口となる入出金口部と、紙幣の鑑別を行う鑑別部と、入出金口部に投入された紙幣のうち、鑑別部により正常と判別された正常紙幣を収納する紙幣収納庫と、紙幣を搬送する搬送路と、入出金口部に投入された紙幣のうち、鑑別部により入金に適さないと判別された入金リジェクト紙幣を一時的に貯留する、入出金口部とは別に設けられた一時貯留部とを有する紙幣入出金機を設け、搬送路を一時貯留部として利用し、鑑別部により入金に適さないと判別された入金リジェクト紙幣を一時貯留部に一時的に貯留した後、入出金口部に戻して返却するようにした。
【００１２】
こうすることで、入出金口部にスライド可能な仕切板を設けることなく、例えば、入出金口部に投入された紙幣の鑑別が完了するまで、入金リジェクト紙幣を一時貯留部に貯留させておき、鑑別が完了した後、入金リジェクト紙幣を入出金口部に戻して利用者に返却することができる。
【発明の効果】
【００１３】
本発明によれば、入出金口部にスライド可能な仕切板を設けることなく、例えば、入出金口部に投入された紙幣の鑑別が完了した後、入金リジェクト紙幣を入出金口部に戻して利用者に返却することができる。かくして、従来と比して入出金口部の機構を簡易化し得る紙幣入出金機及び紙幣処理装置を実現できる。
【図面の簡単な説明】
【００１４】
【図１】ＡＴＭの構成を示す略線図である。
【図２】第１の実施の形態における紙幣入出金機の構成を示す略線図である。
【図３】第１の実施の形態における鑑別部及び振分搬送路の構成を示す略線図である。
【図４】第１の実施の形態における入金計数処理（１）の説明にともなう略線図である。
【図５】第１の実施の形態における入金計数処理（２）の説明にともなう略線図である。
【図６】第１の実施の形態における入金計数処理（３）の説明にともなう略線図である。
【図７】第１の実施の形態における入金計数処理（４）の説明にともなう略線図である。
【図８】入金リジェクト紙幣取込処理（１）の説明にともなう略線図である。
【図９】入金リジェクト紙幣取込処理（２）の説明にともなう略線図である。
【図１０】第１の実施の形態における紙幣収納処理（１）の説明にともなう略線図である。
【図１１】第１の実施の形態における紙幣収納処理（２）の説明にともなう略線図である。
【図１２】第１の実施の形態における紙幣収納処理（３）の説明にともなう略線図である。
【図１３】出金取引処理の説明にともなう略線図である。
【図１４】出金紙幣取込処理（１）の説明にともなう略線図である。
【図１５】出金紙幣取込処理（２）の説明にともなう略線図である。
【図１６】第１の実施の形態における入金リジェクト紙幣の一時貯留（１）の説明にともなう略線図である。
【図１７】第１の実施の形態における入金リジェクト紙幣の一時貯留（２）の説明にともなう略線図である。
【図１８】第１の実施の形態における入金リジェクト紙幣の一時貯留（３）の説明にともなう略線図である。
【図１９】第１の実施の形態における入金リジェクト紙幣の一時貯留（４）の説明にともなう略線図である。
【図２０】第１の実施の形態における入金リジェクト紙幣の一時貯留（５）の説明にともなう略線図である。
【図２１】第２の実施の形態における入金計数処理（１）の説明にともなう略線図である。
【図２２】第２の実施の形態における入金計数処理（２）の説明にともなう略線図である。
【図２３】第３の実施の形態における入金計数処理（１）の説明にともなう略線図である。
【図２４】第３の実施の形態における入金計数処理（２）の説明にともなう略線図である。
【図２５】第３の実施の形態における紙幣収納処理の説明にともなう略線図である。
【図２６】第４の実施の形態における鑑別部及び振分搬送路の構成を示す略線図である。
【図２７】第４の実施の形態における入金リジェクト紙幣の一時貯留（１）の説明にともなう略線図である。
【図２８】第４の実施の形態における入金リジェクト紙幣の一時貯留（２）の説明にともなう略線図である。
【図２９】第４の実施の形態における入金リジェクト紙幣の一時貯留（３）の説明にともなう略線図である。
【図３０】第４の実施の形態における入金リジェクト紙幣の一時貯留（４）の説明にともなう略線図である。
【図３１】第４の実施の形態における入金リジェクト紙幣の一時貯留（５）の説明にともなう略線図である。
【図３２】第４の実施の形態における入金リジェクト紙幣の一時貯留（６）の説明にともなう略線図である。
【図３３】第４の実施の形態における入金リジェクト紙幣の一時貯留（７）の説明にともなう略線図である。
【図３４】第４の実施の形態における入金リジェクト紙幣の一時貯留（８）の説明にともなう略線図である。
【図３５】第４の実施の形態における入金リジェクト紙幣の一時貯留（９）の説明にともなう略線図である。
【図３６】第４の実施の形態における入金リジェクト紙幣の一時貯留（１０）の説明にともなう略線図である。
【図３７】第４の実施の形態における入金リジェクト紙幣の一時貯留（１１）の説明にともなう略線図である。
【図３８】他の実施の形態における紙幣入出金機の構成を示す略線図である。
【発明を実施するための形態】
【００１５】
以下、発明を実施するための形態について、図面を用いて詳細に説明する。
【００１６】
［１．第１の実施の形態］
［１−１．現金自動預払機（ＡＴＭ）の構成］
まず第１の実施の形態について説明する。図１に、この第１の実施の形態における現金自動預払機（以下、これをＡＴＭとも呼ぶ）１の全体構成の概略を示す。
【００１７】
このＡＴＭ１は、キャッシュカードや紙幣、取引明細票等を取引媒体とし、利用者の操作によって、現金の預け払いや支払い、振り込み等の処理を行うようになっている。
【００１８】
このＡＴＭ１の内部上方には、利用者のキャッシュカード等を処理するカード処理機（図示せず）と、取引明細票（以下、これをレシートとも呼ぶ）を印字して利用者へ発行するレシート印刷機（図示せず）が設けられている。
【００１９】
カード処理機は、ＡＴＭ１の前面（利用者に対向する面）に設けられたカード挿入返却口２より投入された利用者のキャッシュカードを処理し、レシート印刷機は、ＡＴＭ１の前面に設けられたレシート発行口３より取引明細票を利用者へ放出する。
【００２０】
またＡＴＭ１の内部下方には、紙幣を処理する紙幣入出金機４が設けられている。この紙幣入出金機４の前面上方には、ＡＴＭ１の前面に露出する入出金口シャッタ５が設けられ、この入出金口シャッタ５の開閉に応じて紙幣の入出金が行われる。
【００２１】
さらにＡＴＭ１の前面には、利用者の取引内容を表示すると共に、取引のための様々な情報や項目を入力する操作表示部６と、暗証番号等を入力するテンキー７とが設けられている。
【００２２】
さらにＡＴＭ１の内部には、ＡＴＭ１の全体を統括的に制御して、上述した各部の制御を行う主制御部８や、ＡＴＭ１の運用情報等を記憶するメモリ部９が設けられている。
【００２３】
さらにこれら主制御部８及びメモリ部９とは別に、紙幣入出金機４の内部に、紙幣入出金機４の制御を行う制御部１０と、この制御部１０の記憶領域となるメモリ部１１とが設けられている。
【００２４】
［１−２．紙幣入出金機の構成］
次に、図２を用いて、紙幣入出金機４の内部構成について説明する。紙幣入出金機４は、ＡＴＭ１の内部に設けられている板厚の厚い鋼板で囲われた金庫部２０のさらに内側に設けられている。
【００２５】
紙幣入出金機４の前面（利用者に対向する面）上方には、利用者が紙幣の投入や受け取りを行うための入出金口部２１が配置され、この入出金口部２１の入出金口２１ａに上述した入出金口シャッタ５が設けられている。
【００２６】
紙幣入出金機４では、この入出金口シャッタ５を開くことで、入出金口部２１をＡＴＭ１の前面から露出させ、利用者に対して紙幣の投入や紙幣の受け取りを行わせ得るようになっている。
【００２７】
この入出金口部２１の下方に、紙幣の真偽、正損、金種、搬送状態等を判別する鑑別部２２が配置されている。入出金口部２１は、この鑑別部２２と接続できるようになっている。
【００２８】
また入出金口部２１の後方、且つ鑑別部２２の上方には、利用者が入金した紙幣を取引成立まで一時的に保管する一時保留部２３が配置されている。この一時保留部２３も、鑑別部２２と接続できるようになっている。
【００２９】
鑑別部２２の前方には、利用者へ出金する紙幣として適さないと判別された紙幣（これを出金リジェクト紙幣とも呼ぶ）を収納するリジェクト庫２４と、利用者が入出金口部２１から取り忘れた紙幣を収納する取込庫２５とが、リジェクト庫２４を上側、取込庫２５を下側として上下方向に並べて配置されている。これらリジェクト庫２４、及び取込庫２５も、鑑別部２２と接続できるようになっている。
【００３０】
また鑑別部２２の後方には、紙幣を金種別に収納する複数（例えば４個）の紙幣収納庫２６（２６ａ〜２６ｄ）が前後方向に並べて配置されている。
【００３１】
さらにこれら４個の紙幣収納庫２６（２６ａ〜２６ｄ）の上方、且つ鑑別部２２の後方には、前後方向に延在する振分搬送路２７が配置されている。
【００３２】
この振分搬送路２７は、鑑別部２２及び各紙幣収納庫２６（２６ａ〜２６ｄ）と接続可能で、鑑別部２２と各紙幣収納庫２６（２６ａ〜２６ｄ）との間で、紙幣を双方向に搬送できるようになっている。
【００３３】
すなわち、振分搬送路２７は、紙幣収納庫２６（２６ａ〜２６ｄ）へ収納する紙幣を、鑑別部２２から紙幣収納庫２６（２６ａ〜２６ｄ）へと搬送する一方で、紙幣収納庫２６（２６ａ〜２６ｄ）から利用者へ出金する紙幣を、紙幣収納庫２６（２６ａ〜２６ｄ）から鑑別部２２へと搬送するようになっている。
【００３４】
ちなみに、この紙幣入出金機４では、４個の紙幣収納庫２６（２６ａ〜２６ｄ）を、紙幣を金種別に収納する収納庫として使用する以外に、例えば、４個の紙幣収納庫２６（２６ａ〜２６ｄ）の一つを、出金リジェクト紙幣を収納するリジェクト庫に設定することで、リジェクト庫として使用できるようにもなっている。
【００３５】
ここで、紙幣入出金機４の鑑別部２２と振分搬送路２７の構成について、図２にくわえて図３を用いて、より詳しく説明する。尚、図２と図３のうち図３にのみ示す部分については（図３参照）と記載している。
【００３６】
鑑別部２２は、図２及び図３に示すように、紙幣を搬送する搬送路３０と、搬送路３０を通る紙幣を鑑別する複数の鑑別センサ３１（３１ａ〜３１ｄ）と、接続先を切り替える複数の搬送路切替器３２（３２ａ〜３２ｃ）と、紙幣の搬送状態を検知する搬送状態検知センサ３３（図３参照）とで構成されている。
【００３７】
搬送路３０は、上下方向に延存する２本の平行な直線路３０ａ、３０ｂと、これら２本の直線路３０ａ、３０ｂの下端を繋ぐ円弧状の曲線路３０ｃとによって、全体としてＵ字形状の搬送路となっている。尚、直線路３０ａ、３０ｂは、前後方向に配置されていて、ここでは、前方の直線路３０ａを前方直線路３０ａ、後方の直線路３０ｂを後方直線路３０ｂと呼び、これらの下端を繋ぐ曲線路３０ｃを下方曲線路３０ｃと呼ぶことにする。
【００３８】
この搬送路３０には、搬送路３０を挟んで対向配置された複数の搬送ローラ４０と、搬送路３０に沿って設けられた搬送ガイド４１（図３参照）と、搬送ローラ４０に装着された搬送ベルト４２とが設けられ、図示しないモータにより搬送ローラ４０を任意の方向に回転させることで、紙幣を双方向に搬送できるようになっている。
【００３９】
さらにこの搬送路３０の前方直線路３０ａに、複数の鑑別センサ３１（３１ａ〜３１ｄ）が配置されていて、複数の鑑別センサ３１（３１ａ〜３１ｄ）は、この前方直線路３０ａを通るときに紙幣を鑑別するようになっている。
【００４０】
また上述の入出金口部２１は、前方直線路３０ａの上方に位置していて、この前方直線路３０ａの上端と接続可能となっている。さらに上述の一時保留部２３は、後方直線路３０ｂの上方に位置していて、この後方直線路３０ｂの上端と接続可能となっている。
【００４１】
さらに上述のリジェクト庫２４は、前方直線路３０ａの前方に位置していて、この前方直線路３０ａの上端と接続可能となっている。さらに上述の取込庫２５は、下方曲線路３０ｃの前方に位置していて、この下方曲線路３０ｃの下端と接続可能となっている。
【００４２】
さらに上述の振分搬送路２７は、後方直線路３０ｂの上端後方に位置していて、この後方直線路３０ｂの上端と接続可能となっている。
【００４３】
さらにこの搬送路３０には、入手金口部２１、一時保留部２３、リジェクト庫２４、取込庫２５、及び振分搬送路２７との接続箇所となる前方直線路３０ａの上端、後方直線路３０ｂの上端、及び下方曲線路３０ｃの下端の計３箇所に、それぞれ搬送路切替器３２（３２ａ、３２ｂ及び３２ｃ）が設けられている。
【００４４】
すなわち、入出金口部２１及びリジェクト庫２４との接続箇所となる前方直線路３０ａの上端に搬送路切替器３２ａが設けられ、一時保留部２３及び振分搬送路２７との接続箇所となる後方直線路３０ｂの上端に搬送路切替器３２ｂが設けられ、取込庫２５との接続箇所となる下方曲線路３０ｃの下端に搬送路切替器３２ｃが設けられている。
【００４５】
これら３個の搬送切替器３２（３２ａ〜３２ｃ）は、制御部１０によって制御され、鑑別部２２と、入手金口部２１、一時保留部２３、リジェクト庫２４、取込庫２５、振分搬送路２７との間を接続／非接続に切り替えることができ、これにより、紙幣の搬送先を、入手金口部２１、一時保留部２３、リジェクト庫２４、取込庫２５、又は振分搬送路２７に切り替えられるようになっている。
【００４６】
さらに後方直線路３０ｂには、上端に設けられた搬送路切替器３２ｂより下方の所定位置に、搬送状態検知センサ３３が配置されていて、この搬送状態検知センサ３３により、後方直線路３０ｂ内の紙幣の搬送状態を検知するようになっている。
【００４７】
尚、上述した鑑別センサ３１（３１ａ〜３１ｃ）は、前方直線路３０ａの上端に設けられた搬送路切替器３２ａより下方に配置されている。
【００４８】
鑑別部２２は、このような構成となっている。
【００４９】
一方、振分搬送路２７は、鑑別部２２の後端から最後列の紙幣収納庫２６ｄの上端まで前後方向に延在する直線路となっている。
【００５０】
この振分搬送路２７には、振分搬送路２７を挟んで対向配置された複数の搬送ローラ５０と、振分搬送路２７に沿って設けられた搬送ガイド５１（図３参照）と、搬送ローラ５０に装着された搬送ベルト５２とが設けられ、図示しないモータにより搬送ローラ５０を任意の方向に回転させることで、紙幣を双方向に搬送できるようになっている。
【００５１】
この振分搬送路２７は、前端が、鑑別部２２の後方直線路３０ｂの上端、及び最前列の紙幣収納庫２６ａの上端と接続可能となっていて、後端が、最後列の紙幣収納庫２６ｄの上端と接続可能となっている。
【００５２】
また振分搬送路２７は、前端と後端との間の所定の２箇所で、残り２個の紙幣収納庫２６ｂ、２６ｃの上端と接続可能となっている。
【００５３】
さらにこの振分搬送路２７には、鑑別部２２、及び４個の紙幣収納庫２６（２６ａ〜２６ｄ）との接続箇所となる前端、後端、及び前端と後端との間の所定の２箇所の計４箇所に、それぞれ搬送路切替器５３（５３ａ〜５３ｄ）が設けられている。
【００５４】
すなわち、鑑別部２２及び最前列の紙幣収納２６ａとの接続箇所となる振分搬送路２７の前端に搬送路切替器５３ａが設けられ、これより後方の２番目の紙幣収納庫２６ｂとの接続箇所に搬送路切替器５３ｂが設けられ、これより後方の３番目の紙幣収納庫２６ｃとの接続箇所に搬送路切替器５３ｃが設けられ、最後列の４番目の紙幣収納庫２６ｄとの接続箇所となる振分搬送路２７の後端に搬送切替器５３ｄが設けられている。
【００５５】
これら４個の搬送路切替器５３（５３ａ〜５３ｄ）も、制御部１０によって制御され、振分搬送路２７と、鑑別部２２、及び４個の紙幣収納庫２６との間を接続／非接続に切り替えることができ、これにより、紙幣の搬送先を、鑑別部２２、又は４個の紙幣収納庫２６のうちの１つに切り替えられるようになっている。
【００５６】
さらに振分搬送路２７には、前端と後端の２箇所に、それぞれ搬送状態検知センサ５４（５４ａ、５４ｂ）（図３参照）が配置されていて、この搬送状態検知センサ５４（５４ａ、５４ｂ）により、振分搬送路２７内の紙幣の搬送状態を検知するようになっている。
【００５７】
振分搬送路２７は、このような構成となっている。
【００５８】
尚、上述した紙幣入出金機４を構成する各機構部には、図示していないが、駆動モータや電磁ソレノイド、機構位置検知センサが組み込まれていて、制御部１０は、紙幣の取り引きに応じて、必要な駆動モータや電磁ソレノイドを駆動させ、機構位置検知センサにより機構部の状態を検知するようになっている。
【００５９】
またこれら各機構部には、紙幣の位置を検知する紙幣位置検知センサが組み込まれていて、制御部１０は、紙幣の取り引きに応じて、各機構部に組み込まれた紙幣位置検知センサにより紙幣の位置や移動を監視するようになっている。
【００６０】
［１−３．紙幣入出金機における入金計数処理］
次に、図４乃至図７を用いて、紙幣入出金機４における入金計数処理の動作について説明する。尚、この動作は、主として、紙幣入出金機４の制御部１０の制御のもとに行われるものである。
【００６１】
紙幣入出金機４は、利用者によりＡＴＭ１にキャッシュカード等が挿入され、操作表示部６を介して、取引項目（この場合、入金）、暗証番号等が入力されると、入出金口シャッタ５を開ける。これにより紙幣入出金機４は、紙幣の投入が可能な状態となる。
【００６２】
その後、図４に示すように、利用者により入出金口部２１に紙幣が投入されると、紙幣入出金機４は、入出金口部２１内のセンサにより紙幣の投入を検知して、入出金口シャッタ５（図２）を閉じる。
【００６３】
その後、図５に示すように、入出金口部２１に投入された紙幣は、１枚ずつ分離され、下流の鑑別部２２に繰り出される。
【００６４】
鑑別部２２では、内部に実装された鑑別センサ３１（図２）により紙幣の特徴を１枚ずつ抽出して、紙幣の真偽、正損、金種、搬送状態等を１枚ずつ判別する。この判別結果に応じて、一時保留部２３及び振分搬送路２７との接続箇所に配置された搬送路切替器３２ｂ（図２）の切り替えが行われる。
【００６５】
すなわち、鑑別部２２によって紙幣が入金受入可能な紙幣（すなわち正常紙幣）と判別されると、この紙幣の搬送先が、一時保留部２３となるように、搬送路切替器３２ｂ（図２）の切り替えが行われる。そして、この紙幣が、鑑別部２２から一時保留部２３へと搬送され、一時保留部２３内に集積される。このとき、制御部１０は、鑑別部２２によって鑑別された紙幣の金種をもとに、一時保留部２３内に集積した紙幣の計数を行う。
【００６６】
一方、鑑別部２２によって紙幣が入金受入不可能な紙幣（すなわち入金リジェクト紙幣）と判別されると、この紙幣の搬送先が、振分搬送路２７となるように、搬送路切替器３２ｂ（図２）の切り替えが行われる。そして、この紙幣が、鑑別部２２から振分搬送路２７へと搬送され、振分搬送路２７内に一時貯留される。
【００６７】
その後、入出金口部２１内の紙幣の計数が完了すると、紙幣入出金機４は、振分搬送路２７に一時貯留している紙幣（すなわち入金リジェクト紙幣）を利用者へ返却する。
【００６８】
一方で、一時貯留されている入金リジェクト紙幣の枚数が規定枚数（すなわち一時貯留可能な最大枚数）に達すると、紙幣入出金機４は、入金計数処理を中断して、振分搬送路２７に一時貯留している紙幣（すなわち入金リジェクト紙幣）を利用者へ返却する。
【００６９】
入金リジェクト紙幣を返却する場合、図６に示すように、振分搬送路２７に一時貯留されている入金リジェクト紙幣が、１枚ずつ鑑別部２２に繰り出され、鑑別部２２を経由して入出金口部２１に戻されて、入出金口部２１内に集積される。
【００７０】
ここで、ＡＴＭ１は、操作表示部６に入金リジェクト紙幣の受取案内を表示する。そしてこのとき紙幣入出金機４が、入出金口シャッタ５を開くことで、入金リジェクト紙幣の受け取りが可能な状態となる。
【００７１】
その後、図７に示すように、利用者により入出金口部２１から紙幣が抜き取られると、入出金口部２１内のセンサにより紙幣の受け取りが検知され、入出金口シャッタ５が閉じる。そして、再度、入出金口シャッタ５が開き、紙幣の投入が可能な状態となる。
【００７２】
ここで、利用者により、再度、入出金口部２１に紙幣が投入されると、入出金口部２１内のセンサにより紙幣の投入が検知され、入出金口シャッタ５が閉じる。そして、上述した手順で、再度、投入された紙幣の計数が行われる。
【００７３】
このような手順で、紙幣入出金機４における入金計数処理が行われるようになっている。
【００７４】
この入金計数処理が完了すると、ＡＴＭ１は、操作表示部６に入金計数結果を表示して、利用者に対して入金計数結果の確認を行う。
【００７５】
ここで、利用者により操作表示部６を介して入金取引の確定が指示入力されると、紙幣入出金機４は、後述する紙幣収納処理を行う。
【００７６】
［１−４．紙幣入出金機における入金リジェクト紙幣取込処理］
次に、図８及び図９を用いて、紙幣入出金機４における入金リジェクト紙幣取込処理の動作について説明する。尚、この動作も、主として、紙幣入出金機４の制御部１０の制御のもとに行われるものである。
【００７７】
この入金リジェクト紙幣取込処理は、上述の入金計数処理で入金リジェクト紙幣を入出金口部２１に戻した後、利用者がこれを取り忘れたときに行われる処理である。
【００７８】
実際、紙幣入出金機４は、入出金口部２１に入金リジェクト紙幣を戻した後、規定時間内に入金リジェクト紙幣が入出金口部２１から抜き取られない場合、まず入出金口シャッタ５を閉じる。
【００７９】
その後、図８に示すように、入出金口部２１に集積されている入金リジェクト紙幣は、１枚ずつ分離され、下流の鑑別部２２を経由して一時保留部２３に搬送され、この一時保留部２３に既に集積されている紙幣と一緒に集積される。
【００８０】
その後、図９に示すように、一時保留部２３に集積されている紙幣は、１枚ずつ鑑別部２２に繰り出され、鑑別部２２から取込庫２５へと搬送され、取込庫２５内に集積される。
【００８１】
このような手順で、紙幣入出金機における入金リジェクト紙幣取込処理が行われる。
【００８２】
［１−５．紙幣入出金機における紙幣収納処理］
次に、図１０乃至図１２を用いて、紙幣入出金機４における紙幣収納処理の動作について説明する。尚、この動作も、主として、紙幣入出金機４の制御部１０の制御のもとに行われるものである。
【００８３】
この紙幣収納処理は、利用者により入金取引の確定が指示入力された後に行われる処理である。
【００８４】
実際、上述した入金計数処理で一時保留部２３に集積された紙幣は、図１０に示すように、１枚ずつ分離され、鑑別部２２に繰り出される。
【００８５】
鑑別部２２では、内部に実装された鑑別センサ３１（図２）により紙幣の特徴を１枚ずつ抽出して、紙幣の正損、金種、搬送状態等を１枚ずつ判別する。この判別結果に応じて、入出金口部２１及びリジェクト庫２４との接続箇所に配置された搬送路切替器３２ａ（図２）の切り替えが行われる。
【００８６】
すなわち、鑑別部２２によって紙幣が収納不適合な紙幣（すなわち収納リジェクト紙幣）と判別されると、この紙幣の搬送先が、リジェクト庫２４となるように、搬送路切替器３２ａの切り替えが行われる。そして、この紙幣が、鑑別部２２からリジェクト庫２４へと搬送され、リジェクト庫２４内に集積される。
【００８７】
一方、鑑別部２２によって紙幣が収納可能な紙幣（すなわち正常紙幣）と判別されると、この紙幣の搬送先が、入出金口部２１となるように、搬送路切替器３２ａの切り替えが行われる。そして、この紙幣が、鑑別部２２から入出金口部２１へと搬送され、入出金口部２１内に集積される。
【００８８】
その後、入出金口部２１内に集積された紙幣は、図１１に示すように、１枚ずつ分離され、再度、下流の鑑別部２２に繰り出される。
【００８９】
鑑別部２２では、再度、鑑別センサ３１により紙幣の特徴を１枚ずつ抽出して、紙幣の金種、搬送状態等を１枚ずつ判別する。この判別結果に応じて、一時保留部２３及び振分搬送路２７との接続箇所に配置された搬送路切替器３２ｂ（図２）の切り替えが行われる。
【００９０】
すなわち、鑑別部２２によって紙幣が収納可能な紙幣（正常紙幣）と判別されると、この紙幣の搬送先が、振分搬送路２７となるように、搬送路切替器３２ｂの切り替えが行われる。そして、この紙幣が、鑑別部２２から振分搬送路２７へと搬送される。
【００９１】
振分搬送路２７では、鑑別部２２から搬送されてきた紙幣の金種に応じて、搬送路切替器５３（５３ａ〜５３ｄ）の切り替えが行われる。
【００９２】
すなわち、紙幣の搬送先が、紙幣の金種に応じた紙幣収納庫２６（２６ａ〜２６ｄ）となるように、搬送路切替器５３（５３ａ〜５３ｄ）の切り替えが行われる。そして、この紙幣が、振分搬送路２７から、その金種に応じた紙幣収納庫２６へと搬送され、その金種に応じた紙幣収納庫２６（２６ａ〜２６ｄ）内に集積される。
【００９３】
一方、鑑別部２２によって紙幣が収納不適合な紙幣（収納リジェクト紙幣）と判別されると、この紙幣の搬送先が一時保留部２３となるように、搬送路切替器３２ｂ（図２）の切り替えが行われる。そして、この紙幣が、鑑別部２２から一時保留部２３へと搬送され、一時保留部２３内に集積される。
【００９４】
その後、入出金口部２１内の紙幣を全て鑑別し終えると、一時保留部２３内に集積されている紙幣（すなわち収納リジェクト紙幣）は、図１２に示すように、１枚ずつ鑑別部２２に繰り出され、鑑別部２２を経由してリジェクト庫２４内に集積される。
【００９５】
このような手順で、紙幣入出金機４における紙幣収納処理が行われるようになっている。
【００９６】
尚、紙幣収納庫２６（２６ａ〜２６ｄ）のうちの１つが、リジェクト庫に設定されている場合、鑑別部２２によって収納不適合な紙幣（収納リジェクト紙幣）と判別された紙幣は、リジェクト庫２４の代わりに、リジェクト庫として設定されている紙幣収納庫２６に集積される。
【００９７】
ここまで説明した入金計数処理、入金リジェクト紙幣取込処理、及び紙幣収納処理が、紙幣の入金に関わる処理であり、以降では、出金に関わる処理について説明する。
【００９８】
［１−６．紙幣入出金機における出金取引処理］
次に、図１３を用いて、紙幣入出金機４における出金取引処理の動作について説明する。尚、この動作も、主として、紙幣入出金機４の制御部１０の制御のもとに行われるものである。
【００９９】
紙幣入出金機４は、利用者によりＡＴＭ１にキャッシュカード等が挿入され、操作表示部６を介して、取引項目（この場合、出金）、暗証番号、出金金額等が入力されると、要求金額に応じて必要な金種毎の紙幣枚数を認識し、この金種毎の紙幣枚数に応じて紙幣収納庫２６（２６ａ〜２６ｄ）から紙幣を１枚ずつ振分搬送路２７に繰り出して鑑別部２２に搬送する。
【０１００】
鑑別部２２では、内部に実装された鑑別センサ３１（図２）により紙幣の搬送状態等を１枚ずつ判別する。この判別結果に応じて、入出金口部２１及びリジェクト庫２４との接続箇所に配置された搬送路切替器３２ａ（図２）の切り替えが行われる。
【０１０１】
すなわち、鑑別部２２によって紙幣が出金不可能な紙幣（すなわち出金リジェクト紙幣）と判別されると、この紙幣の搬送先が、リジェクト庫２４となるように、搬送路切替器３２ｃの切り替えが行われる。そして、この紙幣が、鑑別部２２からリジェクト庫２４へと搬送され、リジェクト庫２４内に集積される。
【０１０２】
一方、鑑別部２２によって紙幣が出金可能な紙幣（すなわち正常紙幣）と判別されると、この紙幣の搬送先が、入出金口部２１となるように、搬送路切替器３２ａの切り替えが行われる。そして、この紙幣が、鑑別部２２から入出金口部２１へと搬送され、入出金口部２１内に集積される。
【０１０３】
出金金額に応じた紙幣の搬送が完了すると、紙幣入出金機４は、入出金口シャッタ５を開ける。これにより入出金口部２１内に集積されている紙幣の受け取りが可能な状態となる。
【０１０４】
その後、利用者により入出金口部２１から紙幣が抜き取られると、入出金口部２１内のセンサにより紙幣の受け取りが検知され、入出金口シャッタ５が閉じる。
【０１０５】
このような手順で、紙幣入出金機４における出金取引処理が行われるようになっている。
【０１０６】
［１−７．紙幣入出金機における出金紙幣取込処理］
次に、図１４及び図１５を用いて、紙幣入出金機４における出金紙幣取込処理の動作について説明する。尚、この動作も、主として、紙幣入出金機４の制御部１０の制御のもとに行われるものである。
【０１０７】
この出金紙幣取込処理は、上述の出金取引処理で紙幣を入出金口部２１に集積した後、利用者がこれを取り忘れたときに行われる処理である。
【０１０８】
実際、紙幣入出金機４は、入出金口部２１に紙幣を集積した後、規定時間内に紙幣が入出金口部２１から抜き取られない場合、まず入出金口シャッタ５を閉じる。
【０１０９】
その後、入出金口部２１に集積されている紙幣（すなわち取り忘れ紙幣）は、図１４に示すように、１枚ずつ分離され、下流の鑑別部２２に繰り出される。
【０１１０】
鑑別部２２では、内部に実装された鑑別センサ３１（図２）により紙幣の搬送状態等を１枚ずつ判別する。この判別結果によらず、紙幣の搬送先が一時保留部２３となるように、鑑別部２２の搬送路切替器３２ｂの切り替えが行われる。
【０１１１】
そして、この紙幣が、鑑別部２２から一時保留部２３へと搬送され、一時保留部２３に集積される。
【０１１２】
その後、一時保留部２３に集積されている紙幣（すなわち取り忘れ紙幣）は、図１５に示すように、１枚ずつ鑑別部２２に繰り出され、鑑別部２２を経由してリジェクト庫２４内に集積される。
【０１１３】
このような手順で、紙幣入出金機４における出金紙幣取込処理が行われるようになっている。
【０１１４】
尚、紙幣収納庫２６（２６ａ〜２６ｄ）のうちの１つが、リジェクト庫に設定されている場合、取り忘れ紙幣は、リジェクト庫２４の代わりに、リジェクト庫として設定されている紙幣収納庫２６に集積される。
【０１１５】
また、この紙幣入出金機４では、予め設定しておくことにより、取り忘れ紙幣のうち、出金に再利用可能な紙幣を、紙幣収納庫２６（２６ａ〜２６ｄ）に収納することもできるようになっている。
【０１１６】
実際、取り忘れ紙幣を再利用するように設定されている場合、入出金口部２１に集積されている紙幣（すなわち取り忘れ紙幣）は、１枚ずつ分離され、下流の鑑別部２２に繰り出される。
【０１１７】
鑑別部２２では、内部に実装された鑑別センサ３１により紙幣の特徴を１枚ずつ抽出して、紙幣の真偽、正損、金種、搬送状態等を判別する。この判別結果に応じて、一時保留部２３及び振分搬送路２７との接続箇所に配置された搬送路切替器３２ｂの切り替えが行われる。
【０１１８】
すなわち、鑑別部２２によって紙幣が収納可能な紙幣（正常紙幣）と判別されると、この紙幣の搬送先が振分搬送路２７となるように、搬送路切替器３２ｂの切り替えが行われる。そして、この紙幣が、鑑別部２２から振分搬送路２７へと搬送される。
【０１１９】
振分搬送路２７では、鑑別部２２から搬送されてきた紙幣の金種に応じて、搬送路切替器５３（５３ａ〜５３ｄ）の切り替えが行われ、紙幣が、その金種に応じた紙幣収納庫２６（２６ａ〜２６ｄ）内に集積される。
【０１２０】
一方、鑑別部２２によって紙幣が収納不適合な紙幣と判別されると、この紙幣の搬送先が一時保留部２３となるように、搬送路切替器３２ｂの切り替えが行われる。そして、この紙幣が、鑑別部２２から一時保留部２３へと搬送され、一時保留部２３内に集積される。
【０１２１】
その後、入出金口部２１内の紙幣を全て鑑別し終えると、一時保留部２３内に集積されている紙幣（すなわち取り忘れ紙幣のうち、再利用できない紙幣）は、１枚ずつ鑑別部２２に繰り出され、鑑別部２２を経由してリジェクト庫２４内に集積される。
【０１２２】
尚、紙幣収納庫２６（２６ａ〜２６ｄ）のうちの１つが、リジェクト庫に設定されている場合、鑑別部２２によって収納不適合な紙幣と判別された紙幣は、リジェクト庫２４の代わりに、リジェクト庫として設定されている紙幣収納庫２６に集積される。
【０１２３】
ここまで説明した出金取引処理、及び出金紙幣取込処理が、紙幣の出金に関わる処理である。
【０１２４】
［１−８．入金リジェクト紙幣の一時貯留］
ここで、上述した紙幣入金計数処理で入金リジェクト紙幣を振分搬送路２７内に一時貯留するときの動作について、図１６乃至図２０を用いて、より詳しく説明する。尚、この動作も、主として、紙幣入出金機４の制御部１０の制御のもとに行われるものである。
【０１２５】
まず、入出金口部２１に投入された紙幣のうち、鑑別部２２の前方直線路３０ａに配置されている鑑別センサ３１によって入金受入不可能と判別された１枚目の紙幣（すなわち入金リジェクト紙幣）ＢＬ１は、鑑別部２２の前方直線路３０ａから下方曲線路３０ｃを通り、後方直線路３０ｂ内を上方に進んでいく。
【０１２６】
そして図１６に示すように、この１枚目の入金リジェクト紙幣ＢＬ１の先端が、後方直線路３０ｂに配置されている搬送状態検知センサ３３に到達すると、この旨をこの搬送状態検知センサ３３が検知する。
【０１２７】
尚、ここでは、紙幣の搬送方向の両端のうち、搬送時に先に位置する方の端を先端、後に位置する方の端を後端と呼ぶことにする。
【０１２８】
この時点で、紙幣入出金機４は、この１枚目の入金リジェクト紙幣ＢＬ１の搬送先が振分搬送路２７となるように、搬送状態検知センサ３３より先（すなわち上方）に配置されている搬送路切替器３２ｂの切り替えを行う。
【０１２９】
またこのとき、紙幣入出金機４は、図示しないモータを起動して、振分搬送路２７の搬送方向が前端から後端へと向かう方向となるように、振分搬送路２７の搬送ローラ５０を回転させる。
【０１３０】
尚、このとき、振分搬送路２７に配置されている搬送路切替器５３（５３ａ〜５３ｄ）は、それぞれ振分搬送路２７と紙幣収納庫２６（２６ａ〜２６ｄ）とが接続しないように既に切り替えられている。
【０１３１】
つまり、搬送路切替器５３（５３ａ〜５３ｄ）は、紙幣が、どの紙幣収納庫２６にも入らずに紙幣搬送路２７を後方に進んでいくように切り替えられている。
【０１３２】
その後、後方直線路３０ｂの搬送状態検知センサ３３を通過した入金リジェクト紙幣ＢＬ１は、鑑別部２２から振分搬送路２７へと搬送され、振分搬送路２７を後方に進んでいく。
【０１３３】
そして図１７に示すように、この１枚目の入金リジェクト紙幣ＢＬ１の後端が、振分搬送路２７の前端に配置されている搬送状態検知センサ５４ａに到達すると、この旨をこの搬送状態検知センサ５４が検知する。
【０１３４】
このとき、紙幣入出金機４は、図示しないモータを停止させ、振分搬送路２７の搬送ローラ５０の回転を停止させる。すると、入金リジェクト紙幣は、振分搬送路２７の前端で停止する。このようにして、１枚目の入金リジェクト紙幣が、振分搬送路２７に一時貯留される。
【０１３５】
その後、図１８に示すように、２枚目の入金リジェクト紙幣ＢＬ２の先端が後方直線路３０ｂに配置されている搬送状態検知センサ３３に到達すると、紙幣入出金機４は、この旨を搬送状態検知センサ３３で検知して、この２枚目の入金リジェクト紙幣ＢＬ２の搬送先が振分搬送路２７となるように、搬送状態検知センサ３３より先（すなわち上方）に配置されている搬送路切替器３２ｂの切り替えを行う。
【０１３６】
またこのとき、紙幣入出金機４は、再び図示しないモータを起動して、振分搬送路２７の搬送方向が前端から後端へと向かう方向となるように、振分搬送路２７の搬送ローラ５０を回転させる。
【０１３７】
これにより、振分搬送路２７に一時貯留されている１枚目の入金リジェクト紙幣ＢＬ１が、後方に進んでいく。
【０１３８】
つまり、振分搬送路２７では、搬送されてくる２枚目の入金リジェクト紙幣ＢＬ２と、１枚目の入金リジェクト紙幣ＢＬ１とが重ならないように、２枚目の入金リジェクト紙幣ＢＬ２が入ってくる前に、１枚目の入金リジェクト紙幣ＢＬ１を、後方に進ませるようになっている。
【０１３９】
その後、後方直線路３０ｂの搬送状態検知センサ３３を通過した２枚目の入金リジェクト紙幣ＢＬ２は、鑑別部２２から振分搬送路２７へと搬送され、振分搬送路２７を後方に進んでいく。
【０１４０】
ここで、１枚目の入金リジェクト紙幣ＢＬ１は、２枚目の入金リジェクト紙幣ＢＬ２が振分搬送路２７に入ってくる前に、後方に進んでいるので、このとき、１枚目の入金リジェクト紙幣ＢＬ１と２枚目の入金リジェクト紙幣ＢＬ２は、一定の間隔を空けた状態で後方に進んでいく。
【０１４１】
そして図１９に示すように、２枚目の入金リジェクト紙幣ＢＬ２の後端が、振分搬送路２７の前端に配置されている搬送状態検知センサ５４ａに到達すると、紙幣入出金機４は、この旨をこの搬送状態検知センサ５４ａで検知して、図示しないモータを停止させ、振分搬送路２７の搬送ローラ５０の回転を停止させる。すると、２枚目の入金リジェクト紙幣ＢＬ２は、振分搬送路２７の前端で停止する。
【０１４２】
このとき、１枚目の入金リジェクト紙幣ＢＬ１は、２枚目の入金リジェクト紙幣ＢＬ２の先に一定の間隔を空けて停止する。
【０１４３】
このようにして、１枚目及び２枚目の入金リジェクト紙幣ＢＬ１及びＢＬ２が、振分搬送路２７内に一時貯留される。
【０１４４】
その後も、紙幣入出金機４は、利用者により投入された紙幣のうち、入金リジェクト紙幣と判別した紙幣については、上述のようにして、振分搬送路２７に一時貯留していく。
【０１４５】
このようにして振分搬送路２７に入金リジェクト紙幣を一時貯留していき、図２０に示すように、１枚目の入金リジェクト紙幣ＢＬ１の先端が、振分搬送路２７の後端に配置されている搬送状態検知センサ５４ｂに到達した場合、この時点で、振分搬送路２７内に一時貯留されている入金リジェクト紙幣の枚数が一時貯留可能な最大枚数に達したことになる。
【０１４６】
尚、図２０は、一例として、振分搬送路２７内に、最大枚数である５枚の入金リジェクト紙幣ＢＬ１〜ＢＬ５が一時貯留されている状態を示している。
【０１４７】
このように振分搬送路２７内に一時貯留されている入金リジェクト紙幣の枚数が一時貯留可能な最大枚数に達すると、もしくは一時貯留可能な最大枚数に達する前に入出金口部２１に投入された紙幣に対する入金計数処理が完了すると、紙幣入出金機４は、図６を用いて説明したようにして、振分搬送路２７に一時貯留している入金リジェクト紙幣を利用者へ返却する。
【０１４８】
［１−９．動作及び効果］
以上の構成において、紙幣入出金機４は、入出金口部２１と一時保留部２３との間に、これらを繋ぐ搬送路３０とこの搬送路３０の途中に設けられた鑑別センサ３１とで構成される鑑別部２２を配置するようにした。
【０１４９】
そして紙幣入出金機４は、入金計数処理時、入出金口部２１に投入された紙幣を下流の鑑別部２２に搬送して、この鑑別部２２の鑑別センサ３１で紙幣の鑑別を行い、鑑別の結果、正常紙幣と判別した紙幣を下流の一時保留部２３に搬送して、この一時保留部２３内に集積する。
【０１５０】
またこの紙幣入出金機４は、鑑別部２２の搬送路３０の、鑑別センサ３１より下流で一時保留部２３との接続箇所近傍に振分搬送路２７が繋がっていて、この位置に、紙幣の搬送先を一時保留部２３又は振分搬送路２７に切り替える搬送路切替器３２を配置するようにした。
【０１５１】
そして紙幣入出金機４は、入金計数処理時、鑑別部２２の鑑別センサ３１で紙幣の鑑別を行った結果、この紙幣が入金リジェクト紙幣であると判別すると、紙幣の搬送先を、一時保留部２３から振分搬送路２７に切り替えて、この紙幣を、振分搬送路２７に搬送して、この振分搬送路２７内に貯留する。
【０１５２】
こうすることで、入出金口部２１に従来のような仕切板を設けることなく、例えば、入金計数処理時に入金リジェクト紙幣を例えば入金計数処理が完了するまで一時貯留しておき、入金計数処理が完了した後、この入金リジェクト紙幣を入出金口部２１に戻して利用者に返却することができる。
【０１５３】
また、この第１の実施の形態では、入金計数処理時の入金リジェクト紙幣の一時貯留先として、紙幣収納処理時及び出金取引処理時に、鑑別部２２と複数の紙幣収納庫２６（２６ａ〜２６ｄ）との間の搬送路として機能する振分搬送路２７を利用するようにした。
【０１５４】
すなわち、従来、入金計数処理時には利用されていなかった振分搬送路２７を、この第１の実施の形態では、入金計数処理時の入金リジェクト紙幣の一時貯留先として利用するようになっている。
【０１５５】
こうすることで、入金リジェクト紙幣専用の一時収納庫を別途設ける必要がなく、入金リジェクト紙幣を一時貯留する場合のコスト増を最小限に抑えることができ、また紙幣入出金機４が大型化してしまうことを回避することができる。
【０１５６】
尚、多くの紙幣入出金機４は、紙幣の金種ごとに複数（例えば４つ以上）の紙幣収納庫２６（２６ａ〜２６ｄ）を有しているので、これらを繋ぐ振分搬送路２７は、一定枚数以上の入金リジェクト紙幣を貯留できるだけの長さを有している。
【０１５７】
ゆえに、多くの紙幣入出金機４で、振分搬送路２７を延長したりせずに、そのまま入金リジェクト紙幣の一時貯留先として利用することができる。
【０１５８】
さらに、この第１の実施の形態では、入出金口部２１と一時保留部２３との間を繋ぐ搬送路３０と、この搬送路３０の途中に配置された鑑別センサ３１とで鑑別部２２を構成し、さらにこの搬送路３０上の、入金計数処理時に鑑別部２２の鑑別センサ３１より下流となる位置に、紙幣の搬送先を一時保留部２３又は振分搬送路２７に切り替える搬送路切替器３２を設けるようにした。
【０１５９】
こうすることで、入出金口部２１に投入された紙幣のうち、正常紙幣は一時保留部２３へ、入金リジェクト紙幣は振分搬送路２７へと振り分けながら、投入された紙幣を連続的に処理することができる。
【０１６０】
以上の構成によれば、入出金口部２１に従来のような仕切板を設けることなく、入金計数処理時に入金リジェクト紙幣を振分搬送路２７に搬送して例えば入金計数処理が完了するまで一時貯留しておき、入金計数処理が完了した後、この入金リジェクト紙幣を入出金口部に戻して利用者に返却することができる。かくして、従来と比して入出金口部の機構を簡易化し得る。
【０１６１】
［２．第２の実施の形態］
次に第２の実施の形態について説明する。この第２の実施の形態は、入金リジェクト紙幣の一時貯留先を振分搬送路ではなく紙幣収納庫の１つとした実施の形態である。
【０１６２】
尚、入金リジェクト紙幣の一時貯留先が異なる点以外、第１の実施の形態と同様であるので、紙幣入出金機４の構成等については、第１の実施の形態を参照とする。ゆえに、ここでは、主に入金計数処理について説明する。
【０１６３】
［２−１．紙幣入出金機４における入金計数処理］
この第２の実施の形態での紙幣入出金機４における入金計数処理の動作について説明する。尚、この動作も、主として、紙幣入出金機４の制御部１０の制御のもとに行われるものである。
【０１６４】
この第２の実施の形態では、予め紙幣入出金機４の紙幣収納庫２６（２６ａ〜２６ｄ）のうちの１つ（例えば最後尾の紙幣収納庫２６ｄ）が、入金リジェクト紙幣の一時貯留先として設定されており、残りの紙幣収納庫２６（２６ａ〜２６ｃ）が、金種ごとの紙幣収納庫として設定されている。
【０１６５】
このように設定された紙幣入出金機４は、利用者によりＡＴＭ１にキャッシュカード等が挿入され、操作表示部６を介して、取引項目（この場合、入金）、暗証番号等が入力されると、入出金口シャッタ５を開ける。これにより紙幣入出金機４は、紙幣の投入が可能な状態となる。
【０１６６】
その後、利用者により入出金口部２１に紙幣が投入されると、紙幣入出金機４は、入出金口部２１内のセンサにより紙幣の投入を検知して、入出金口シャッタ５を閉じる。
【０１６７】
その後、入出金口部２１に投入された紙幣は、図２１に示すように、１枚ずつ分離され、下流の鑑別部２２に繰り出される。
【０１６８】
鑑別部２２では、内部に実装された鑑別センサ３１（図２）により紙幣の特徴を１枚ずつ抽出して、紙幣の真偽、正損、金種、搬送状態等を１枚ずつ判別する。この判別結果に応じて、一時保留部２３及び振分搬送路２７との接続箇所に配置された搬送路切替器３２ｂ（図２）の切り替えが行われる。
【０１６９】
すなわち、鑑別部２２によって紙幣が入金受入可能な紙幣（すなわち正常紙幣）と判別されると、この紙幣の搬送先が、一時保留部２３となるように、搬送路切替器３２ｂの切り替えが行われる。そして、この紙幣が、鑑別部２２から一時保留部２３へと搬送され、一時保留部２３内に集積される。このとき、制御部は、鑑別部２２によって鑑別された紙幣の金種をもとに、一時保留部２３内に集積した紙幣の計数を行う。
【０１７０】
一方、鑑別部２２によって紙幣が入金受入不可能な紙幣（すなわち入金リジェクト紙幣）と判別されると、この紙幣の搬送先が、振分搬送路２７となるように、搬送路切替器３２ｂの切り替えが行われる。そして、この紙幣が、鑑別部２２から振分搬送路２７へと搬送される。
【０１７１】
振分搬送路２７では、鑑別部２２から搬送されてきた入金リジェクト紙幣の搬送先が、入金リジェクト紙幣の一時貯留先として設定されている最後尾の紙幣収納庫２６ｄ（図３）となるように、搬送切替器５３（５３ａ〜５３ｄ）の切り替えが行われる。
【０１７２】
そして、この入金リジェクト紙幣が、振分搬送路２７から紙幣収納庫２６ｄへと搬送され、紙幣収納庫２６ｄ内に一時貯留される。
【０１７３】
その後、入出金口部２１内の紙幣の計数が完了すると、紙幣入出金機４は、紙幣収納庫２６ｄに一時貯留している紙幣（すなわち入金リジェクト紙幣）を利用者へ返却する。
【０１７４】
一方で、一時貯留されている入金リジェクト紙幣の枚数が規定枚数（すなわち一時貯留可能な最大枚数）に達すると、紙幣入出金機４は、入金計数処理を中断して、紙幣収納庫２６ｄに一時貯留している紙幣（すなわち入金リジェクト紙幣）を利用者へ返却する。
【０１７５】
入金リジェクト紙幣を返却する場合、図２２に示すように、紙幣収納庫２６ｄに一時貯留されている入金リジェクト紙幣が、１枚ずつ紙幣搬送路２７に繰り出され、紙幣搬送路２７から鑑別部２２を経由して入出金口部２１に戻されて、入出金口部２１内に集積される。
【０１７６】
ここで、ＡＴＭ１は、操作表示部６に入金リジェクト紙幣の受取案内を表示する。そしてこのとき紙幣入出金機４が、入出金口シャッタ５を開くことで、入金リジェクト紙幣の受け取りが可能な状態となる。
【０１７７】
その後、利用者により入出金口部２１から紙幣が抜き取られると、入出金口部２１内のセンサにより紙幣の受け取りが検知され、入出金口シャッタ５が閉じる。そして、再度、入出金口シャッタ５が開き、紙幣の投入が可能な状態となる。
【０１７８】
ここで、利用者により、再度、入出金口部２１に紙幣が投入されると、入出金口部２１内のセンサにより紙幣の投入が検知され、入出金口シャッタ５が閉じる。そして、上述した手順で、再度、投入された紙幣の計数が行われる。
【０１７９】
このような手順で、紙幣入出金機４における入金計数処理が行われるようになっている。
【０１８０】
［２−２．動作及び効果］
以上の構成において、この第２の実施の形態では、予め紙幣入出金機４の紙幣収納庫２６（２６ａ〜２６ｄ）のうちの１つを、入金リジェクト紙幣の一時貯留先に設定しておく。
【０１８１】
そして紙幣入出金機４は、入金計数処理時、鑑別部２２の鑑別センサ３１で紙幣の鑑別を行った結果、この紙幣が入金リジェクト紙幣であると判別すると、この紙幣を、振分搬送路２７を経由して紙幣収納庫２６ｄに搬送し、この紙幣収納庫２６ｄ内に一時貯留する。
【０１８２】
こうすることで、入出金口部２１に従来のような仕切板を設けることなく、入金計数処理時に入金リジェクト紙幣を紙幣収納庫２６ｄに搬送して例えば入金計数処理が完了するまで一時貯留しておき、入金計数処理が完了した後、この入金リジェクト紙幣を入出金口部に戻して利用者に返却することができる。
【０１８３】
また、この第２の実施の形態では、紙幣収納庫２６（２６ａ〜２６ｄ）の１つを入金リジェクト紙幣の一時貯留先として利用するようにしたことで、わざわざ入金リジェクト紙幣専用の一時収納庫を別途設ける必要がなく、入金リジェクト紙幣を一時貯留する場合のコスト増を最小限に抑えることができ、また紙幣入出金機４が大型化してしまうことを回避することができる。
【０１８４】
［３．第３の実施の形態］
次に第３の実施の形態について説明する。この第３の実施の形態は、紙幣収納庫２６（２６ａ〜２６ｄ）の１つを一時保留部として機能させ、代わりに一時保留部２３を入金リジェクト紙幣の一時貯留先とした実施の形態である。
【０１８５】
尚、紙幣入出金機４の構成等については、第１の実施の形態と同様であるので、第１の実施の形態を参照とする。ゆえに、ここでは、主に入金計数処理について説明する。
【０１８６】
［３−１．紙幣入出金機４における入金計数処理］
この第３の実施の形態での紙幣入出金機４における入金計数処理の動作について説明する。尚、この動作も、主として、紙幣入出金機４の制御部１０の制御のもとに行われるものである。
【０１８７】
この第３の実施の形態では、予め紙幣入出金機４の紙幣収納庫２６（２６ａ〜２６ｄ）のうちの１つ（例えば最後尾の紙幣収納庫２６ｄ）が、一時保留部２３の代わりに一時保留部として設定されており、残りの紙幣収納庫２６（２６ａ〜２６ｃ）が、金種ごとの紙幣収納庫として設定されている。さらに予めもともとの一時保留部２３が入金リジェクト紙幣の一時貯留先として設定されている。
【０１８８】
このように設定された紙幣入出金機４は、利用者によりＡＴＭ１にキャッシュカード等が挿入され、操作表示部６を介して、取引項目（この場合、入金）、暗証番号等が入力されると、入出金口シャッタ５を開ける。これにより紙幣入出金機４は、紙幣の投入が可能な状態となる。
【０１８９】
その後、利用者により入出金口部２１に紙幣が投入されると、紙幣入出金機４は、入出金口部２１内のセンサにより紙幣の投入を検知して、入出金口シャッタ５を閉じる。
【０１９０】
その後、入出金口部２１に投入された紙幣は、図２３に示すように、１枚ずつ分離され、下流の鑑別部２２に繰り出される。
【０１９１】
鑑別部２２では、内部に実装された鑑別センサ３１（図２）により紙幣の特徴を１枚ずつ抽出して、紙幣の真偽、正損、金種、搬送状態等を１枚ずつ判別する。この判別結果に応じて、一時保留部２３及び振分搬送路２７との接続箇所に配置された搬送路切替器３２ｂ（図２）の切り替えが行われる。
【０１９２】
すなわち、鑑別部２２によって紙幣が入金受入可能な紙幣（すなわち正常紙幣）と判別されると、この紙幣の搬送先が、振分搬送路２７となるように、搬送路切替器３２ｂの切り替えが行われる。そして、この紙幣が、鑑別部２２から振分搬送路２７へと搬送される。
【０１９３】
振分搬送路２７では、鑑別部２２から搬送されてきた正常紙幣の搬送先が、一時保留部として設定されている最後尾の紙幣収納庫２６ｄとなるように、搬送切替器５３（５３ａ〜５３ｄ）の切り替えが行われる。
【０１９４】
そして、正常紙幣が、振分搬送路２７から紙幣収納庫２６ｄへと搬送され、紙幣収納庫２６ｄ内に一時保留される。このとき、制御部１０は、鑑別部２２によって鑑別された紙幣の金種をもとに、一時保留部として設定されている紙幣収納庫２６ｄ内に集積した紙幣の計数を行う。
【０１９５】
一方、鑑別部２２によって紙幣が入金受入不可能な紙幣（すなわち入金リジェクト紙幣）と判別されると、この入金リジェクト紙幣の搬送先が、一時保留部２３となるように、搬送路切替器３２ｂの切り替えが行われる。そして、この入金リジェクト紙幣が、鑑別部２２から一時保留部２３へと搬送され、一時保留部２３内に一時貯留される。
【０１９６】
その後、入出金口部２１内の紙幣の計数が完了すると、紙幣入出金機４は、一時保留部２３に一時貯留している紙幣（すなわち入金リジェクト紙幣）を利用者へ返却する。
【０１９７】
一方で、一時貯留されている入金リジェクト紙幣の枚数が規定枚数（すなわち一時貯留可能な最大枚数）に達すると、紙幣入出金機４は、入金計数処理を中断して、一時保留部２３に一時貯留している紙幣（すなわち入金リジェクト紙幣）を利用者へ返却する。
【０１９８】
入金リジェクト紙幣を返却する場合、図２４に示すように、一時保留部２３に一時貯留されている入金リジェクト紙幣が、１枚ずつ鑑別部２２に繰り出され、鑑別部２２を経由して入出金口部２１に戻されて入出金口部２１内に集積される。
【０１９９】
ここで、ＡＴＭ１は、操作表示部６に入金リジェクト紙幣の受取案内を表示する。そしてこのとき紙幣入出金機４が、入出金口シャッタ５を開くことで、入金リジェクト紙幣の受け取りが可能な状態となる。
【０２００】
その後、利用者により入出金口部２１から紙幣が抜き取られると、入出金口部２１内のセンサにより紙幣の受け取りが検知され、入出金口シャッタ５が閉じる。そして、再度、入出金口シャッタ５が開き、紙幣の投入が可能な状態となる。
【０２０１】
ここで、利用者により、再度、入出金口部２１に紙幣が投入されると、入出金口部２１内のセンサにより紙幣の投入が検知され、入出金口シャッタ５が閉じる。そして、上述した手順で、再度、投入された紙幣の計数が行われる。
【０２０２】
このような手順で、紙幣入出金機４における入金計数処理が行われるようになっている。
【０２０３】
［３−２．紙幣入出金機における紙幣収納処理］
次に、この第３の実施の形態の紙幣入出金機４における紙幣収納処理の動作についても簡単に説明する。尚、この動作も、主として、紙幣入出金機４の制御部１０の制御のもとに行われるものである。
【０２０４】
この紙幣収納処理は、利用者により入金取引の確定が指示入力された後に行われる処理である。
【０２０５】
実際、上述した入金計数処理で紙幣収納庫２６ｄに集積された紙幣は、図２５に示すように、１枚ずつ分離され、鑑別部２２に繰り出される。
【０２０６】
鑑別部２２では、内部に実装された鑑別センサ３１（図２）により紙幣の特徴を１枚ずつ抽出して、紙幣の正損、金種、搬送状態等を１枚ずつ判別する。この判別結果に応じて、入出金口部２１及びリジェクト庫２４との接続箇所に配置された搬送路切替器３２ａ（図２）の切り替えが行われる。
【０２０７】
すなわち、鑑別部２２によって紙幣が収納不適合な紙幣（すなわち収納リジェクト紙幣）と判別されると、この紙幣の搬送先が、リジェクト庫２４となるように、搬送路切替器３２ａの切り替えが行われる。そして、この紙幣が、鑑別部２２からリジェクト庫２４へと搬送され、リジェクト庫２４内に集積される。
【０２０８】
一方、鑑別部２２によって紙幣が収納可能な紙幣（すなわち正常紙幣）と判別されると、この紙幣の搬送先が、入出金口部２１となるように、搬送路切替器３２ａの切り替えが行われる。そして、この紙幣が、鑑別部２２から入出金口部２１へと搬送され、入出金口部２１内に集積される。
【０２０９】
以下、第１の実施の形態と同様、図１１に示した手順で、紙幣がその金種に応じた紙幣収納庫２６（２６ａ〜２６ｃ）に収納される。
【０２１０】
このような手順で、紙幣入出金機４における紙幣収納処理が行われるようになっている。
【０２１１】
［３−３．動作及び効果］
以上の構成において、この第３の実施の形態では、予め紙幣収納庫２６（２６ａ〜２６ｄ）の１つを一時保留部に設定しておくと共に、もともとの一時保留部２３を入金リジェクト紙幣の一時貯留先に設定しておく。
【０２１２】
そして紙幣入出金機４は、入金計数処理時、鑑別部２２の鑑別センサ３１で紙幣の鑑別を行った結果、この紙幣が入金リジェクト紙幣であると判別すると、この紙幣を、一時保留部２３に貯留する。
【０２１３】
こうすることで、入出金口部２１に従来のような仕切板を設けることなく、入金計数処理時に入金リジェクト紙幣を一時保留部２３に搬送して例えば入金計数処理が完了するまで一時貯留しておき、入金計数処理が完了した後、この入金リジェクト紙幣を入出金口部２１に戻して利用者に返却することができる。
【０２１４】
また、この第３の実施の形態では、紙幣収納庫２６（２６ａ〜２６ｄ）の１つを一時保留部として機能させる代わりに、一時保留部２３を入金リジェクト紙幣の一時貯留先として利用するようにしたことで、わざわざ入金リジェクト紙幣専用の一時収納庫を別途設ける必要がなく、入金リジェクト紙幣を一時貯留する場合のコスト増を最小限に抑えることができ、また紙幣入出金機４が大型化してしまうことを回避することができる。
【０２１５】
［４．第４の実施の形態］
次に第４の実施の形態について説明する。この第４の実施の形態は、鑑別部及び振分搬送路の構成が第１の実施の形態とは異なる実施の形態である。
【０２１６】
尚、鑑別部及び振分搬送路以外の構成等については、第１の実施の形態と同様であるので、第１の実施の形態を参照とする。ゆえに、ここでは、主に鑑別部及び振分搬送路の構成について説明する。
【０２１７】
［４−１．鑑別部及び振分搬送路の構成］
【０２１８】
この第４の実施の形態における紙幣入出金機４の鑑別部１００及び振分搬送路１０１の構成について、図２６を用いて説明する。
【０２１９】
尚、ここでは、主に、鑑別部１００及び振分搬送路１０１の構成のうち、第１の実施の形態の鑑別部２２及び振分搬送路２７とは異なる部分について説明し、同様の部分については適宜その説明を省略する。
【０２２０】
この第４の実施の形態の鑑別部１００には、後方直線路３０ｂの上端に配置されている搬送路切替器３２ｂよりさらに後方の、振分搬送路１０１との接続箇所の直前に、搬送されてくる紙幣の一端を叩く羽根車１１０が配置されている。またこの羽根車１１０の上方に、この羽根車１１０と対向するようにして搬送ローラ４０が追加で配置されている。
【０２２１】
さらに鑑別部１００には、この羽根車１１０と搬送路切替器３２ｂとの間に、紙幣の搬送状態を検知する搬送状態検知センサ１１１が配置されている。
【０２２２】
このように、羽根車１１０、羽根車１１０と対向する搬送ローラ４０、及び搬送状態検知センサ１１１を追加した点が、第１の実施の形態の鑑別部２２と異なる部分である。
【０２２３】
一方、振分搬送路１０１は、第１の実施の形態の振分搬送路２７の前端に配置されていた搬送状態検知センサ５４ａを省略した構成となっている。
【０２２４】
このように、搬送状態検知センサ５４ａを取り除いた点が、第１の実施の形態の振分搬送路２７と異なる部分である。
【０２２５】
［４−２．入金リジェクト紙幣の一時貯留］
次に、図２７乃至図３７を用いて、上述した構成でなる鑑別部１００及び振分搬送路１０１によって、入金リジェクト紙幣を振分搬送路１０１内に一時貯留するときの動作について、詳しく説明する。尚、この動作も、主として、紙幣入出金機４の制御部１０の制御のもとに行われるものである。
【０２２６】
入出金口部２１に投入された紙幣のうち、鑑別部１００の前方直線路３０ａに配置されている鑑別センサ３１（図２）によって入金受入不可能と判別された１枚目の紙幣（すなわち入金リジェクト紙幣）ＢＬ１は、鑑別部１００の前方直線路３０ａから下方曲線路３０ｃを通り、後方直線路３０ｂ内を上方に進んでいく。
【０２２７】
そしてこの入金リジェクト紙幣ＢＬ１の先端が、後方直線路３０ｂに配置されている搬送状態検知センサ３３に到達すると、この旨をこの搬送状態検知センサ３３が検知する。
【０２２８】
この時点で、紙幣入出金機４は、この１枚目の入金リジェクト紙幣ＢＬ１の搬送先が振分搬送路２７となるように、搬送状態検知センサ３３より先（すなわち上方）に配置されている搬送路切替器３２ｂの切り替えを行う。
【０２２９】
その後、１枚目の入金リジェクト紙幣ＢＬ１の先端が、搬送路切替器３２ｂより後方に配置されている搬送状態検知センサ１１１に到達すると、この旨を搬送状態検知センサ１１１が検知する。
【０２３０】
すると、この時点から所定時間経過後に、紙幣入出金機４は、図示しないモータを起動して、振分搬送路１０１の搬送方向が前端から後端へと向かう方向となるように、振分搬送路１０１の搬送ローラ５０を回転させる。
【０２３１】
ここで、入金リジェクト紙幣ＢＬ１の後端を検知してから搬送ローラ５０の回転を開始させるまでの処理時間は、図２７に示すように、入金リジェクト紙幣ＢＬ１の先端が振分搬送路１０１の前端に配置されている最前列の搬送ローラ５０に到達する直前に搬送ローラ５０の回転が開始されるように設定されている。
【０２３２】
尚、このとき、振分搬送路１０１に配置されている搬送路切替器５３（５３ａ〜５３ｄ）は、それぞれ振分搬送路１０１と紙幣収納庫２６（２６ａ〜２６ｄ）とが接続しないように既に切り替えられている。
【０２３３】
つまり、搬送路切替器５３（５３ａ〜５３ｄ）は、紙幣が、どの紙幣収納庫２６にも入らずに振分搬送路１０１を前端から後端に向かう方向に進んでいくように切り替えられている。
【０２３４】
その後、１枚目の入金リジェクト紙幣ＢＬ１の後端が、搬送状態検知センサ１１１に到達すると、この旨を搬送状態検知センサ１１１が検知する。
【０２３５】
すると、この時点から所定時間経過後に、紙幣入出金機４は、図示しないモータを停止させ、振分搬送路１０１の搬送ローラ５０の回転を停止させる。
【０２３６】
ここで、入金リジェクト紙幣ＢＬ１の後端を検知してから搬送ローラ５０の回転を停止させるまでの所定時間は、図２８に示すように、入金リジェクト紙幣ＢＬ１のほぼ全体が振分搬送路２７内に入り、後端が羽根車１１０によって下方に押さえ付けられる位置まで進んだところで搬送ローラ５０の回転が停止されるように設定されている。
【０２３７】
この結果、１枚目の入金リジェクト紙幣ＢＬ１は、後端を羽根車１１０により下方に押さえ付けられた状態で、振分搬送路１０１の前端で停止する。このようにして、１枚目の入金リジェクト紙幣が、振分搬送路１０１に一時貯留される。
【０２３８】
尚、このとき鑑別部１００では、引き続き後続の紙幣に対する鑑別が行われている。
【０２３９】
その後、２枚目の入金リジェクト紙幣ＢＬ２の先端が、搬送状態検知センサ３３に到達すると、紙幣入出金機４は、この旨を搬送状態検知センサ３３で検知して、この２枚目の入金リジェクト紙幣ＢＬ２の搬送先が振分搬送路１０１となるように、搬送状態検知センサ３３より先（すなわち上方）に配置されている搬送路切替器３２ｂの切り替えを行う。
【０２４０】
その後、２枚目の入金リジェクト紙幣ＢＬ２の先端が、搬送路切替器３２ｂより先（すなわち後方）に配置されている搬送状態検知センサ１１１に到達すると、紙幣入出金機４は、この旨を搬送状態検知センサ１１１で検知し、所定時間経過後に図示しないモータを起動して、振分搬送路１０１の搬送方向が前端から後端へと向かう方向となるように、振分搬送路１０１の搬送ローラ５０を回転させる。
【０２４１】
ここで、入金リジェクト紙幣ＢＬ２の先端を検知してから搬送ローラ５０の回転を開始させるまでの所定時間は、１枚目と同様、入金リジェクト紙幣ＢＬ２の先端が振分搬送路１０１の前端に配置されている最前列の搬送ローラ５０に到達する直前に搬送ローラ５０の回転が開始されるように設定されている。
【０２４２】
換言すると、この所定時間は、図２９に示すように、２枚目の入金リジェクト紙幣ＢＬ２の先端部分が、羽根車１１０によって下方に押さえ付けられている１枚目の入金リジェクト紙幣ＢＬ１の後端部分の上に重なる位置まで進んだところで搬送ローラ５０の回転を開始するように設定されている。
【０２４３】
この結果、２枚目の入金リジェクト紙幣ＢＬ２の先端部分が、１枚目の入金リジェクト紙幣ＢＬ１の後端部分の上に重なった状態で、これら２枚の入金リジェクト紙幣ＢＬ１及びＢＬ２が搬送されていく。
【０２４４】
その後、２枚目の入金リジェクト紙幣ＢＬ２の後端が、搬送状態検知センサ１１１に到達すると、紙幣入出金機４は、この旨を搬送状態検知センサ１１１で検知し、所定時間経過後に図示しないモータを停止させ、振分搬送路１０１の搬送ローラ５０の回転を停止させる。
【０２４５】
ここで、入金リジェクト紙幣ＢＬ２の後端を検知してから搬送ローラ５０の回転を停止させるまでの所定時間は、１枚目と同様、入金リジェクト紙幣ＢＬ２のほぼ全体が振分搬送路２７内に入り、後端部分が羽根車１１０によって下方に押さえ付けられる位置まで進んだところで搬送ローラ５０の回転が停止されるように設定されている。
【０２４６】
この結果、２枚目の入金リジェクト紙幣ＢＬ２は、図３０に示すように、後端部分を羽根車１１０により下方に押さえ付けられた状態で、且つ先端部分が１枚目の入金リジェクト紙幣ＢＬ１の後端部分の上に重ねられた状態で振分搬送路１０１の前端で停止する。
【０２４７】
このようにして、１枚目及び２枚目の入金リジェクト紙幣ＢＬ１及びＢＬ２が、振分搬送路１０１に一部を重ねた状態で一時貯留される。
【０２４８】
その後も、紙幣入出金機４は、図３１及び図３２に示すように、利用者により投入された紙幣のうち、入金リジェクト紙幣と判別した紙幣については、上述のように一部を重ねた状態で振分搬送路１０１に一時貯留していく。
【０２４９】
このようにして振分搬送路１０１に入金リジェクト紙幣を一時貯留していき、図３３に示すように、１枚目の入金リジェクト紙幣ＢＬ１の先端が、振分搬送路１０１の後端に配置されている搬送状態検知センサ５４ｂに到達した場合、この時点で、振分搬送路１０１内に一時貯留されている入金リジェクト紙幣の枚数が一時貯留可能な最大枚数に達したことになる。
【０２５０】
このように振分搬送路１０１内に一時貯留されている入金リジェクト紙幣の枚数が一時貯留可能な最大枚数に達すると、もしくは一時貯留可能な最大枚数に達する前に入出金口部２１に投入された紙幣に対する入金計数処理が完了すると、紙幣入出金機４は、振分搬送路１０１に一時貯留している入金リジェクト紙幣を利用者へ返却する。
【０２５１】
この場合、紙幣入出金機４は、振分搬送路１０１に一時貯留している入金リジェクト紙幣を１枚ずつ鑑別部１００に繰り出すようになっている。
【０２５２】
ここで、例えば、振分搬送路１０１に１０枚の入金リジェクト紙幣ＢＬ１〜ＢＬ１０が一時貯留されているとする。
【０２５３】
このとき、紙幣入出金機４は、図示しないモータを起動して、図３４に示すように、振分搬送路１０１の搬送方向が後端から前端へと向かう方向（すなわち一時貯留時とは逆方向）となるように、振分搬送路１０１の搬送ローラ５０を回転させる。
【０２５４】
これにより、振分搬送路１０１に一時貯留されている１０枚の入金リジェクト紙幣ＢＬ１〜ＢＬ１０が、振分搬送路１０１内を前方に進んでいく。
【０２５５】
尚、このとき、紙幣入出金機４は、鑑別部１００の搬送ローラ４０も図示しないモータにより一時貯留時とは逆方向に回転させている。
【０２５６】
また、このとき、紙幣入出金機４は、鑑別部１００の羽根車１１０による入金リジェクト紙幣の押さえ付けを解除するように羽根車１１０を一時貯留時とは逆方向に回転させている。
【０２５７】
その後、紙幣入出金機４は、図３５に示すように、先頭の１０枚目の入金リジェクト紙幣（すなわち１番最後に貯留した入金リジェクト紙幣）ＢＬ１０の先端が、鑑別部１００の搬送状態検知センサ１１１に到達すると、この旨を搬送状態検知センサ１１１で検知する。
【０２５８】
このとき、ちょうど１０枚目の入金リジェクト紙幣ＢＬ１０の後端が、振分搬送路１０１の最前列の搬送ローラ５０より前方まで進み、９枚目の入金リジェクト紙幣ＢＬ９が、最前列の搬送ローラ５０に挟まれる位置まで進んだ状態となるようになっている。
【０２５９】
ここで、紙幣入出金機４は、図示しないモータを停止させ、振分搬送路１０１の搬送ローラ５０の回転を停止させる。尚、このとき、鑑別部１００の搬送ローラ４０についてはそのまま回転させ続けるようになっている。
【０２６０】
この結果、図３６に示すように、１枚目〜９枚目までの入金リジェクト紙幣ＢＬ１〜ＢＬ９は振分搬送路１０１内に残されて停止する一方で、１０枚目の入金リジェクト紙幣ＢＬ１０は、鑑別部１００に繰り出されて鑑別部１００内を進んでいくことになる。
【０２６１】
このようにして、１０枚目の入金リジェクト紙幣ＢＬ１０が、振分搬送路１０１から鑑別部１００に繰り出される。
【０２６２】
その後、図３７に示すように、この入金リジェクト紙幣ＢＬ１０の後端が、鑑別部１００の搬送状態検知センサ３３に到達すると、紙幣入出金機４は、この旨を搬送状態検知センサ３３で検知する。
【０２６３】
このとき、紙幣入出金機４は、図示しないモータを起動して、振分搬送路１０１の搬送方向が後端から前端へと向かう方向となるように、振分搬送路１０１の搬送ローラ５０を回転させることで、次の入金リジェクト紙幣ＢＬ９を、振分搬送路１０１から鑑別部１００に繰り出す。
【０２６４】
その後も、紙幣入出金機４は、同様にして、１枚目〜８枚目の入金リジェクト紙幣ＢＬ１〜ＢＬ８を１枚ずつ鑑別部１００に繰り出すようになっている。
【０２６５】
そして、このようにして鑑別部１００に繰り出された１０枚の入金リジェクト紙幣ＢＬ１〜ＢＬ１０は、第１の実施の形態と同様にして入出金口部２１に戻されて利用者に返却される。
【０２６６】
［４−３．動作及び効果］
以上の構成において、この第４の実施の形態では、振分搬送路１０１内に複数の入金リジェクト紙幣を一時貯留する際に、それぞれ一定の間隔を空けて貯留するのではなく、一部を重ねるようにして一時貯留するようにした。
【０２６７】
こうすることで、入金リジェクト紙幣を一定の間隔を空けて貯留するようにした第１の実施の形態と比して、振分搬送路１０１の長さは変えずに、一時貯留可能な最大枚数を増加させることができる。
【０２６８】
またこの第４の実施の形態でも、第１の実施の形態と同様に、振分搬送路１０１を入金リジェクト紙幣の一時貯留先と利用することで、入金リジェクト紙幣専用の一時収納庫を別途設ける必要がなく、入金リジェクト紙幣を一時貯留する場合のコスト増を最小限に抑えることができ、また紙幣入出金機４が大型化してしまうことを回避することができる。
【０２６９】
［５．他の実施の形態］
［５−１．他の実施の形態１］
尚、上述した第１の実施の形態では、ＡＴＭ１の内部に設けられている板厚の厚い鋼板で囲われた金庫部２０の内側に紙幣入出金機４を設けるようにした。
【０２７０】
これに限らず、例えば図３８に示すように、紙幣入出金機４を、入出金口部２１及び一時保留部２３を有する上部４ａと、鑑別部２２、リジェクト庫２４、取込庫２５、紙幣収納庫２６、振分搬送路２７を有する下部４ｂとに分け、下部４ｂのみを、金庫部２０の内側に配置するようにしてもよい。
【０２７１】
このことは、第１の実施の形態に限らず、第２乃至第４の実施の形態についても同様である。
【０２７２】
［５−２．他の実施の形態２］
また、上述した第１の実施の形態では、鑑別部２２を、Ｕ字形状の搬送路３０とこの搬送路３０の途中に配置された鑑別センサ３１とで構成するようにした。
【０２７３】
そして、この鑑別部２２の搬送路３０の周りに、搬送先となる各部（入出金口２１、一時保留部２３、リジェクト庫２４、取込庫２５、振分搬送路２７）を配置して、これらと搬送路３０とを必要に応じて接続するようにした。
【０２７４】
これに限らず、鑑別部２２の搬送路３０の形状や、搬送路３０と各部の位置関係については、ＡＴＭ１の仕様に応じて適宜変えてもよい。
【０２７５】
［５−３．他の実施の形態３］
さらに、上述した第４の実施の形態では、鑑別部１００の後端に羽根車１１０を設けるようにしたが、これに限らず、振分搬送路１０１の前端にこの羽根車１１０を設けるようにしてもよい。
【０２７６】
［５−４．他の実施の形態４］
さらに、上述した第４の実施の形態では、鑑別部１００の所定位置に搬送状態検知センサ１１１を配置して、この搬送状態検知センサ１１１で紙幣を検知した後、所定のタイミングで、振分搬送路１０１の搬送ローラ５０の回転を開始させたり停止させたりするようにした。
【０２７７】
これに限らず、第４の実施の形態と同様の効果が得られる範囲内であれば、搬送状態検知センサ１１１で紙幣を検知してから搬送ローラ５０の回転を開始させたり停止させたりするタイミングを変えたり、搬送状態検知センサ１１１の位置を変えたりしてもよい。
【０２７８】
［５−５．他の実施の形態５］
さらに、上述した第１及び第４の実施の形態では、振分搬送路２７及び１０１を入金リジェクト紙幣を一時的に貯留する一時貯留部として利用するようにした。
【０２７９】
また第２の実施の形態では、複数の紙幣収納庫２６（２６ａ〜２６ｄ）のうちの１つを、第３の実施の形態では、一時保留部２３を入金リジェクト紙幣を一時的に貯留する一時貯留部として利用するようにした。
【０２８０】
これに限らず、紙幣入出金機４が、これら振分搬送路２７や振分搬送路１０１、紙幣収納庫２６、一時保留部２３以外にも、鑑別部２２や鑑別部１００に対して双方向に紙幣を搬送でき、且つ入金リジェクト紙幣を一時的に貯留できる箇所を有しているのであれば、このような箇所を一時貯留部として利用するようにしてもよい。
【０２８１】
［５−６．他の実施の形態６］
さらに、上述した第１乃至第４の実施の形態では、本発明を、ＡＴＭ１に設けられた紙幣入出金機４に適用したが、本発明は、これに限らず、入金時に投入された紙幣のうち、入金に不適合と判別された入金リジェクト紙幣を一時的に貯留する装置であれば、この他種々の装置に適用することができる。
【０２８２】
さらに上述した第１乃至第４の実施の形態では、本発明を、紙幣処理装置としてのＡＴＭ１に適用したが、本発明は、これに限らず、入金時に投入された紙幣のうち、入金に不適合と判別された入金リジェクト紙幣を一時的に貯留する紙幣入出金機を備えた装置であれば、この他種々の装置に適用することができる。
【０２８３】
［５−７．他の実施の形態７］
さらに、本発明は、上述した第１乃至第４の実施の形態と、上述した他の実施の形態とに限定されるものではない。すなわち本発明は、上述した第１乃至第４の実施の形態と上述した他の実施の形態の一部または全部を任意に組み合わせた実施の形態や、一部を抽出した実施の形態にもその適用範囲が及ぶものである。
【産業上の利用可能性】
【０２８４】
本発明は、入金時に投入された紙幣のうち入金に適していないと判別された入金リジェクト紙幣を利用者に返却するようになっているＡＴＭなどの装置で広く利用することができる。
【符号の説明】
【０２８５】
１……ＡＴＭ、４……紙幣入出金機、１０……制御部、２０……金庫部、２１……入出金口部、２２、１００……鑑別部、２３……一時保留部、２４……リジェクト庫、２５……取込庫、２６……紙幣収納庫、２７、１０１……振分搬送路、３０……搬送路、３１……鑑別センサ、３２、５３……搬送路切替器、３３、５４、１１１……搬送状態検知センサ、１１０……羽根車。
【図１】
0005834865.tif 000002
【図２】
0005834865.tif 000003
【図３】
0005834865.tif 000004
【図４】
0005834865.tif 000005
【図５】
0005834865.tif 000006
【図６】
0005834865.tif 000007
【図７】
0005834865.tif 000008
【図８】
0005834865.tif 000009
【図９】
0005834865.tif 000010
【図１０】
0005834865.tif 000011
【図１１】
0005834865.tif 000012
【図１２】
0005834865.tif 000013
【図１３】
0005834865.tif 000014
【図１４】
0005834865.tif 000015
【図１５】
0005834865.tif 000016
【図１６】
0005834865.tif 000017
【図１７】
0005834865.tif 000018
【図１８】
0005834865.tif 000019
【図１９】
0005834865.tif 000020
【図２０】
0005834865.tif 000021
【図２１】
0005834865.tif 000022
【図２２】
0005834865.tif 000023
【図２３】
0005834865.tif 000024
【図２４】
0005834865.tif 000025
【図２５】
0005834865.tif 000026
【図２６】
0005834865.tif 000027
【図２７】
0005834865.tif 000028
【図２８】
0005834865.tif 000029
【図２９】
0005834865.tif 000030
【図３０】
0005834865.tif 000031
【図３１】
0005834865.tif 000032
【図３２】
0005834865.tif 000033
【図３３】
0005834865.tif 000034
【図３４】
0005834865.tif 000035
【図３５】
0005834865.tif 000036
【図３６】
0005834865.tif 000037
【図３７】
0005834865.tif 000038
【図３８】
0005834865.tif 000039